(57)【要約】      （修正有）【課題】粗骨材の表面水率の変動及び有害物量の低減するため、粗骨材水洗装置と水洗後の水抜きを行うため装置を提供する。【解決手段】粗骨材の水洗装置と水洗後の水抜き孔つきベルトコンベアゴムベルトを備えた装置で、コンクリート用等粗骨材の表面水率の変動及び有害物の量を低減することを特徴とする。ベルトコンベアの構成部品であるゴムベルトの中心部分に、中心部面積２００mm2の範囲において孔径φ０．６mm〜φ８．０mmにして３個〜６個の水抜き孔を備えたことにより、骨材表面に付着している水によるフレッシュコンクリート中の単位水量の変動を少なくし、また有害物である粘土、シルト等の微粒分を低減する。【選択図】      図６
2005066825.tif 000002
【特許請求の範囲】
【請求項１】
コンクリート等に用いる材料の一つである骨材を、骨材サイロから生コンクリート製造プラント内の骨材貯蔵タンクに搬送する装置の一部であるベルトコンベア上の粗骨材取出ゲート付近に設けた粗骨材水洗装置と、水洗後の水抜きを行うために、ベルトコンベアの構成部品であるベルトコンベアゴムベルトの中心部分に、中心部面積２００ｍｍ２の範囲内において孔径φ６．０ｍｍ〜φ８．０ｍｍにして３個〜６個の水抜き孔を備えた骨材運搬用の水抜き孔つきベルトコンベアゴムベルト。
【発明の詳細な説明】
【０００１】
【発明の属する技術分野】
本発明は、コンクリートの品質変動を少なくするために、コンクリート用材料である骨材の表面に付着している水及び洗い試験で失われるものの内の有害物である粘土、シルト等の微粒分を低減しフレッシュコンクリート中の「単位水量」の変動を少なくする、いわゆるフレッシュコンクリートの製造装置であるバッチャープラントに付属する骨材搬送装置及び行程中の粗骨材の表面水率の変動及び微粒分の低減装置に関する。
【０００２】
【従来の技術】
フレッシュコンクリートつまり通称「生コン」の単位水量は、通常「示方配合」の項目の中に示され、生コンを打設する際にはユーザの事前承認を得ているが、現実にはコンクリートの材料品質・材料計量・運搬・季節・施工条件などの変動を考慮し、示方配合を「現場配合」として補正しており、単位水量は、その補正項目の一つであるが、他の材料と同じように、変動要因の大きい骨材の影響を受け、必ずしも適正に補正されていないのが現状である。しかし、阪神大震災を契機としてコンクリートの耐久性確保の観点から、現場配合段階でも単位水量の変動を小さくするための動きが高まりつつある。
【０００３】
【発明が解決しようとする課題】
しかるに、単位水量の変動要因は骨材の変動が主であるが、骨材を選別する工場の規模が小さいものが多く、一部の砕石工場を除いてＪＩＳを取得していないし、品質管理体制も千差万別である。従って、生コン工場に入荷する骨材の品質変動要因も多義に亘る。特に、コンクリートの単位水量は、「骨材の表面水率」の変動及び「洗い試験で失われるものの内、有害物である粘土・シルト類」の量が大きく影響している。生コン工場の製造設備は、これらの変動等に対応するため、通常、骨材の計量機器に表面水率補正装置が取り付けられ演算している。また、この装置に付随して細骨材には、その表面水率を検知する装置を取り付けたものや、細骨材サイロの下部及び骨材取出ゲート等において水分を除去する装置も開発され一部使用されているが、入荷するダンプトラック１台毎に変化する骨材の日内変動に対応できていない事例も顕著であり、ＪＩＳＡ５３０８も表面水率を検知する装置の装着を義務づけていないし、表面水率の測定頻度は１日２回以上として、最低頻度を定めているに過ぎない。従って、通常は生コンの製造に携わるオペレ−タが目視により、練り上がったフレッシュコンクリートの状態を、各バッチ毎に把握しながら細骨材の補正装置を微妙に調整する方法で、示方配合に近づける操作が日常行われており、生コン品質の個人差となって現れている。粗骨材については、前日等過去の実績を平均的に用いて設定している事例が顕著に見られ、日内変動に対応している事例は希であるが、近年は、大型プロジェクトなどの重要構造物において、生コン工場に入荷する際に受入条件を厳しくしている事例が一部に見られる。つまり一般的な生コンの製造設備は、粗骨材の表面水率や微粒分の日内変動に対応するに極めて困難な設備の構造であり、特に、配合全体に大きく影響を受ける粗骨材の表面水率の変動に対応した検知装置並びに洗い試験で失われるものの内、有害物である粘土・シルト類を低減する装置は開発されていない。
【０００４】
本発明は、上記問題点の内、開発されていない生コン設備の一つである粗骨材の表面水率の変動、並びに洗い試験で失われるものの内、有害物である粘土・シルト類の量を生コン製造プラントの骨材搬送行程において減少させ、フレッシュコンクリートの単位水量の安定を図れる装置を提供することを目的とする。
【０００５】
【課題を解決するための手段】
上記目的を達成すべく、請求項１に記載の発明の要旨は、生コンクリート等に用いる骨材を、骨材ストックヤードからバッチャープラントに輸送する行程の一部であるベルトコンベアの粗骨材取出ゲート付近に、粗骨材の水洗装置と水洗後の水抜きを行うために、ベルトコンベアの主要構成部品であるベルトコンベアゴムベルトの軸方向中心部に複数以上の水抜き孔を備えた、コンクリート用等粗骨材の表面水率の変動及び有害物の量を低減することを特徴とする。
【０００６】
また、本発明は、輸送行程中において粗骨材の水洗を行う方法であり、貯蔵中に下方に溜まった粘土・シルト類を大半除去できるし、水洗用の水の確保は従来のコンベアベルトを下から洗っていた装置を上部に移動し流用するため、別の水を供給する設備を必要としない。また、ベルトコンベアが停止中にコンベアベルト上に溜まる水を、水抜き孔を介して除去し、細骨材の表面水の安定にも寄与することが解った。従来の方法と比較した結果、本発明はフレッシュコンクリートの単位水量の変動を少なくし、安定した状態に維持できることが判明した。
【０００７】
本発明の方法により、粗骨材中の有害物である粘土・シルト類を水洗除去して少なくし、同時に粗骨材の表面水率の変動を小さくできるため、フレッシュコンクリートの単位水量を安定した状態に維持できることから、フレッシュコンクリートの品質が向上する。また、本発明は従来の装置の一部を改良又は消耗品であるベルトコンベアゴムベルトの更新時に本発明品に交換して使用できるので経済性に優れている。これらの理由から、フレッシュコンクリートの品質管理やその照査並びにコンクリート構造物の耐久性を確保する分野において実用的な技術として役立つ。
【０００８】
【発明実施の形態】
以下、本発明の実施形態について詳述する。まず、粗骨材中の有害物である粘土・シルト類を水洗して少なくするための装置と水洗後の水及び有害物を除去する装置を必要とするが、図１〜図２は従来の装置の断面図であり、図３〜図４は本発明に係る装置の断面図である。図５〜図６は、同装置の形態図であり、粗骨材の表面水率の変動並びに有害物の低減装置に適用するものである。
【０００９】
図１は、従来の骨材引出用ベルトコンベアの粗骨材取出ゲート付近の断面図である。
【００１０】
図２は、従来のフレッシュコンクリートの製造装置であるバッチャープラントに付属する骨材輸送装置、つまり、骨材引出用及び骨材運搬用傾斜ベルトコンベアの連結部付近の断面図である。
【００１１】
図３は骨材引出ベルトコンベア２により運搬中の粗骨材を、請求項１に係る粗骨材水洗装置７を設けて水洗し、コンベアベルト８に、水抜き孔１０を設け、粗骨材を水洗した後の水を排水する装置である。従来のコンベアベルト水洗装置５は不要となった。
【００１２】
図４は本発明に係る骨材引出用及び骨材運搬用傾斜ベルトコンベアの連結部装置付近の断面図であり、水抜き孔付きベルトコンベアゴムべルト９により、粗骨材を水洗した後の水を排水する装置である。
【００１３】
図５は、水抜き孔付きベルトコンベアゴムべルト９の形態図である。
【００１４】
図６は粗骨材水洗装置７により粗骨材を水洗し、その後、水抜き孔付きベルトコンベアゴムべルト９の孔１０を介して排水する装置の形態図である。
【００１５】
【表１】
2005066825.tif 000003
【００１６】
表１は、本発明の実験に用いた装置の仕様を示すが、使用したベルトコンベアゴムべルトは、既設の設備を使用し、水抜き孔を設けた。但し、骨材運搬用傾斜ベルトコンベアゴムベルトについては水抜き孔を設けると強度低下が懸念されることから、強度に余裕のある骨材引出用べルトコンベアのみに適用して実験した。
【００１７】
【表２】
2005066825.tif 000004
【００１８】
表２は、従来の装置と本発明に係る装置を用いて、生コン製造プラントの計量ゲートから試料を採取して、粗骨材の表面水率及び有害物量を測定した結果を示すが、粗骨材中の表面水率の変動並びに有害物である粘土・シルト類の量について前者・後者の差を比較したが、表面水率の変動及び有害物量の何れも本発明において減少していることを確認した。
【００１９】
【発明の効果】
以上、述べたように、本発明によれば、粗骨材中の有害物である粘土・シルト類を水洗除去して少なくし、同時に粗骨材の表面水率の変動を小さくできるためフレッシュコンクリートの単位水量を安定した状態に維持できることから、フレッシュコンクリートの品質が向上し、品質管理や、その照査並びにコンクリート構造物の耐久性を確保する分野において、実用的な技術として優れた効果を発揮する。また、本発明は従来の装置の一部を改良又は消耗品であるベルトコンベアゴムベルトの更新をする際、本発明品に交換して使用できるので経済性に優れている。
【図面の簡単な説明】
【図１】従来の骨材引出用ベルトコンベアの、粗骨材取出ゲート付近の断面図である。
【図２】従来のベルトコンベアの連結部付近の断面図である。
【図３】本発明に係る粗骨材取出ゲート付近に、粗骨材水洗装置及び水抜き孔つきベルトコンベアゴムベルトを設けた装置の断面図である。
【図４】本発明に係るベルトコンベアの連結部付近の断面図である。
【図５】請求項１に係る水抜き孔つきベルトコンベアゴムベルトの形態図である。
【図６】請求項１に係る粗骨材水洗装置及び水抜き孔つきベルトコンベアゴムベルトからの排水状況の形態図である。
【符号の説明】
１  骨材引出用ベルトコンベア
２  骨材運搬用傾斜ベルトコンベア
３  連結シュート
４  スカート
５  ベルトコンベア水洗装置
６  粗骨材取出ゲート
７  粗骨材水洗装置
８  コンベアベルト
９  水抜き孔付きベルトコンベアゴムベルト
１０  水抜き孔
【図１】
2005066825.tif 000005
【図２】
2005066825.tif 000006
【図３】
2005066825.tif 000007
【図４】
2005066825.tif 000008
【図５】
2005066825.tif 000009
【図６】
2005066825.tif 000010